(57)【特許請求の範囲】
【請求項１】
上面が開口するバケツ本体と、該バケツ本体の上端部に該バケツ本体を横断するように取付けられた起倒自在の把手とを含み、
上記把手が、モップの濡れた糸束を押し付けて絞るための多孔状の窪み部と、給水用ホースの先端を挿入するためのホース孔とを有し、
上記把手は、倒した状態でバケツ本体の上面の一部を部分的に覆うプレート状をなしていて、長さ方向一半部側の幅が他半部側の幅より広く形成され、該把手の幅広の一半部側に上記窪み部が設けられると共に、幅狭の他半部側に、モップをバケツ本体内に出し入れするための空間部が形成されている、
ことを特徴とするモップの絞り機能を備えた清掃用バケツ。
【請求項２】
上記把手が、モップの柄を差し込むことによって該モップを逆向きに立てて保管するためのモップ支持孔を有することを特徴とする請求項１に記載の清掃用バケツ。
【請求項３】
上記モップ支持孔が、把手の肉厚より軸線方向長さが長い筒状をしていることを特徴とする請求項２に記載の清掃用バケツ。
【請求項４】
上記把手が、倒した状態でバケツ本体を横断する縁辺に、該バケツ本体内に糸束を差し込んだ状態でモップを立て掛けておくための凹欠部を備えていることを特徴とする請求項１から３までのいずれか１つに記載の清掃用バケツ。
【発明の詳細な説明】
【０００１】
【発明の属する技術分野】
本発明は、清掃用のバケツに関するものであり、さらに詳しくは、モップの絞り機能を備えた清掃用バケツに関するものである。
【０００２】
【従来の技術】
モップの絞り機能を備えた清掃用バケツとして、水を入れるためのバケツ本体の上部に一対の棒状ローラーを設け、これらのローラーをペダルの踏み込み操作で閉じるようにしたものは公知である。このものは、上記一対のローラー間にモップの濡れた糸束を挟持させた状態で、該糸束をローラーから引き抜くことによって絞るものである。
【０００３】
ところが、上記従来の清掃用バケツは、一対のローラーとペダル及びそれらを結合する結合機構等を有しているため、部品数が多くなって構造が複雑であるばかりでなく、取り扱いも面倒であり、一般家庭で手軽に使用するものとしては不向きであった。
【０００４】
そこで、本出願人は先に、特開平８−２９９２４１号公報に開示されているように、バケツ本体に起倒自在に取り付けた把手の一部に、モップの濡れた糸束を押し付けて絞るための多孔状の窪み部を設けた清掃用バケツを提案した。この清掃用バケツは、従来のローラー式のものに比べて構造が非常に簡単で、モップの糸束を単に窪み部内に押し付けるだけで簡単且つ確実に絞ることができるという利点を有する。
【０００５】
このような清掃用バケツを使用して床面等を清掃する場合には、該バケツにホースで適量の水を充填しなければならない。充填した水は、モップの糸束に吸収されることによって徐々に減少していくため、その減少分をホースで補給する必要がある。
【０００６】
ところが、このようにホースでバケツに水を供給する場合、該ホースを自由にしておいたのでは水圧によって該ホースが動き回るため、手でホースの先端を支えながら給水しなければならず、作業が面倒である。特に、水道栓がバケツから離れた位置にあるような場合には、ホースの先端を自由にしたまま水道栓を開閉する訳にはいかないため、バケツを一々水道栓の位置まで運んでホースにより水を補給し、水の補給で重くなったバケツを再び作業現場に運ばなければならず、作業が一層面倒になる。
【０００７】
また、使用後のバケツとモップは、適当な場所に収納されるが、濡れたモップの収納場所には困るケースが多い。それは、該モップを壁に吊したり立て掛けたりしておくと、濡れた糸束によって壁面が汚れたり腐食したりし易いという問題があるからである。しかも、バケツとモップを別々に収納しなければならないため、取り扱いが面倒であると同時に、次に使用する場合に不便である。
【０００８】
そこで、上記清掃用バケツが、モップの絞り機能の他に、このような給水の問題とモップの収納の問題とを解決できる構成を備えていれば、その使用性はより向上することになる。
【０００９】
【発明が解決しようとする課題】
本発明の主要な技術的課題は、モップの濡れた糸束を簡単且つ確実に絞ることができると同時に、ホースによる給水を手で該ホースを支えることなく簡単に行うことができる、使用性に勝れた清掃用バケツを提供することにある。
【００１０】
本発明の他の技術的課題は、上記清掃用バケツにおいて、モップの収納機能を付加することによってその使用性を更に高めることにある。
【００１１】
【課題を解決するための手段】
上記課題を解決するため、本発明によれば、上面が開口するバケツ本体と、該バケツ本体の上端部に該バケツ本体を横断するように取付けられた起倒自在の把手とを含み、上記把手が、モップの濡れた糸束を押し付けて絞るための多孔状の窪み部と、給水用ホースの先端を挿入するためのホース孔とを有し、上記把手は、倒した状態でバケツ本体の上面の一部を部分的に覆うプレート状をなしていて、長さ方向一半部側の幅が他半部側の幅より広く形成され、該把手の幅広の一半部側に上記窪み部が設けられると共に、幅狭の他半部側に、モップをバケツ本体内に出し入れするための空間部が形成されていることを特徴とする清掃用バケツが提供される。
【００１２】
上記構成を有する本発明の清掃用バケツは、バケツ本体内にホースで適量の水を入れ、モップによる水拭き清掃に使用する。このとき把手は、窪み部が上を向く側に倒しておき、そのホース孔内に上記ホースの先端を差し込み、その状態で水を供給する。これにより、該ホースを手で支えることなく水を供給することができる。
【００１３】
バケツ本体内の水に浸漬させた糸束を絞るときは、その糸束を多孔状の窪み部内に押付けるか、押付けながら捩じるようにする。これにより、上記糸束が圧縮されて余分な水分が絞り出され、その水分がバケツ本体内に還流する。
【００１４】
本発明において好ましくは、上記把手が、モップの柄を差し込むことによって該モップを逆向きに立てて保管するためのモップ支持孔を有することである。
【００１５】
この構成により、モップとバケツを常にセットにして保管することができるため、取り扱いが容易で、次に使用する際にも非常に便利である。しかも、清掃用バケツをモップの収納にも兼用できるため、非常に合理的且つ効率的であるばかりでなく、モップの保管場所に困ることもなく、濡れたモップを壁に吊したり立て掛けたりする必要がないため、壁面が汚れたり腐食したりするといった問題も解消される。
【００１７】
この場合に上記モップ支持孔は、把手の肉厚より軸線方向長さが長い筒状とすることが望ましく、これにより、モップ支持孔の強度を高めて把手がこのモップ支持孔の部分から破損するのを防ぐことができる。
【００１８】
本発明の好ましい実施形態によれば、上記把手が、倒した状態でバケツ本体を横断する辺に、該バケツ本体内に糸束を差し込んだ状態でモップを立て掛けておくための凹欠部を備えている。
【００１９】
【発明の実施の形態】
図１〜図４は、本発明のモップの絞り機能を備えた清掃用バケツの第１実施例を示すもので、この第１実施例の清掃用バケツ１Ａは、上端部が開口する平面視略四角形のバケツ本体２と、該バケツ本体２の上端部に該バケツ本体２を横断するように取付けられた起倒自在の把手３とからなっている。
【００２０】
上記把手３は、それを倒した状態でバケツ本体２の上面のほぼ半部を覆うようなプレート状に形成されていて、起立時における中央部上端寄りの位置には、持ち運び用の手提げ穴５が形成されている。また、該把手３の中央部より左右何れか一側に偏寄した位置には、該把手３を倒した状態でバケツ本体２の上面に臨むように、モップ３０の糸束３１（図４参照）を押し付けて絞るための多孔状の窪み部４が形成されている。
【００２１】
上記窪み部４は、底部側ほど次第に小径をなす円錐状をしていて、その壁面及び底面に多数の通水孔４ａを有するもので、図４に示すように、柄３２の先端に糸束３１を丸い房状に取付けた丸型モップ３０に適合するように形成されたものである。このとき、上記把手３は、その一半部３ａの幅が他半部３ｂの幅より広く形成されていて、該把手３の幅広の半部３ａ側に上記窪み部４が形成され、幅狭の半部３ｂ側に、モップ３０を出し入れするための空間部７が形成され、この広い空間部７により、モップ３０をバケツ本体２内により円滑に出し入れすることができるようになっている。
【００２２】
上記把手３にはまた、図２に示すように、給水用ホース３４の先端を挿入するためのホース孔９と、図５に示すように、モップ３０の柄３２を差し込むことによって該モップ３０を逆向きに立てて保管するためのモップ支持孔１０とが設けられている。
【００２３】
上記ホース孔９は、把手３の上端部両端寄りの位置に２つ設けられ、それらを選択的に使用できるようになっているが、その位置及び数は任意であり、１つであっても良い。このホース孔９の孔径は、差し込んだホース３４が不時に抜けないように、該ホース３４の外径よりやや大きい程度が好ましい。
【００２４】
一方、上記モップ支持孔１０は、モップ３０を立てた時にバランスが保たれるように、バケツ本体２のできるだけ中央寄りの位置に設けられている。このモップ支持孔１０は、図５から分かるように、把手３の肉厚より軸線方向長さが長い筒状に形成されており、これにより、モップ３０をできるだけ鉛直に近い角度に立てることができるようにすると共に、孔の強度を高めて、把手３がこのモップ支持孔１０の部分から破損することのないようにしている。
【００２５】
上記把手３の裏面側には、モップ３０を絞る際に把手３が変形することのないように、該把手３の強度を高めるための補強用のリブを設けることができる。このようなリブを設ける場合、その方向は任意であって、縦横いずれの方向であっても、両方向に格子状に設けても良い。
【００２６】
また、上記把手３の外周には、裏面側に立ち上がったフランジ状の壁８が形成されていて、把手３を倒した時この壁８が、バケツ本体２の外方に張り出した上縁２ａ上に載置するようになっている。
【００２７】
しかし、図６に示す第２実施例のバケツ１Ｂのように、上記壁８を、把手３を倒したとき上縁２ａの外周部に嵌合するように構成することもできる。このように構成することにより、モップ３０の糸束３１を絞る際に、把手３ががたつかないように確実に固定すると共に該把手３が下向きに変形するのを防止して、糸束３１を絞る作業を安定的に行うことができる。
【００２８】
上記把手３にはさらに、図２に示すように、その外周のバケツ本体２を横断する縁辺３ｃの中間位置に凹欠部１２が設けられ、この凹欠部１２により、バケツ本体２内に糸束３１を挿入した状態でモップ３０を立て掛けておくことができるようになっている。
【００２９】
上記構成を有する清掃用バケツ１Ａ，１Ｂは、バケツ本体２内に適量の水を入れ、モップ３０による水拭き清掃に使用する。このとき上記把手３を、窪み部４が上を向く側に倒しておき、そのホース孔９内に上記ホース３４の先端を差し込み、その状態で水を供給する。これにより、該ホース３４を手で一切支えることなく水を供給することができる。また、減少した水を補給する作業も、単に水道栓を開閉するだけで簡単に行うことができる。
【００３０】
モップ３０の糸束３１を水に浸漬する作業は、把手３の窪み部４が形成されていない幅狭の半部３ｂ側に形成された広い空間部７を通じて行い、水に浸漬した糸束３１を絞る作業は、図４に示すように、その糸束３１を多孔状の窪み部４内に押付けるか、押付けながら捩じることにより行う。これにより、上記糸束３１が圧縮されて余分な水が絞り出され、その水が通水孔４ａを通じてバケツ本体２内に流下する。
【００３１】
かくして上記構成を有する清掃用バケツ１Ａ，１Ｂは、把手３に多孔状の窪み部４を設けただけの簡単な構成であるにもかかわらず、上記窪み部４を利用してモップ３０を簡単且つ確実に絞ることができ、ホース３４による水の供給も非常に容易である。
【００３２】
また、清掃が終わったあとは、モップ３０の糸束３１を良く絞って十分に水切りを行うと共に、バケツ内の水を捨て、把手３のモップ支持孔１０内にモップ３０の柄３２を差し込むことにより該モップ３０を逆向きに立てた状態で、所定の場所に収納する。
【００３３】
これにより、バケツとモップとをセットにして保管することができるため、取り扱い及び保管場所が常に一緒で次に使用する際に非常に便利である。しかも、清掃用バケツをモップの収納にも兼用できるため、非常に合理的且つ効率的であるばかりでなく、モップの保管場所に困ることもなく、濡れたモップを壁に吊したり立て掛けたりする必要がないため、壁面が汚れたり腐食したりするといった問題も解消される。
【００３４】
上記各実施例では、上記把手３と窪み部４とを合成樹脂により一体形成しているが、このように一体に形成することなく、把手３の一部に開口部を設け、この開口部に、別形成した合成樹脂製又は金属製のカップ状をした多孔質の窪み部形成用部材を取付けるようにしても良い。これにより、窪み部が壊れた際に該窪み部だけを交換することができる。
【００３５】
また、把手３の幅が、窪み部４が形成されている部分と形成されていない部分とで違っているが、把手３の幅は全体として均一であっても良く、この場合に窪み部４はどの位置に設けても良い。
【００３６】
さらに、上記実施例では窪み部４が円錐状に形成されているが、該窪み部の形状はこのような円錐状に限るものではなく、Ｔ形モップを対象とする場合は、Ｖ字形や略Ｕ字形の断面を持つ直線溝状に形成される。図７には、このような直線溝状の窪み部を持った第３実施例のバケツ１Ｃが示されている。
【００３７】
この第３実施例のバケツ１Ｃにおいては、把手３が、矩形のバケツ本体２のほぼ一半部を覆うような長方形状に形成されていて、該バケツ本体２を横断する縁片２ｃに沿うように上記窪み部４が形成されている。また、ホース孔９は手提げ穴５の横に１つだけ形成されており、モップ支持孔１０は、上記縁片２ｃの中央部に形成されている。このモップ支持孔１０は、完全な孔とすることなく、優弧状の切欠にしても良い。また、上記縁片２ｃの適宜位置に、上記第１実施例にあるような凹欠部を設けることができる。
【００３８】
なお、上記各実施例ではバケツ本体２が矩形状をしているが、円形であっても良く、このように円形とした場合には、把手３の形状はほぼ半円形となる。
【００３９】
【発明の効果】
以上に詳述したように、本発明の清掃用バケツによれば、把手に多孔状の窪み部を設けただけの簡単な構成であるにもかかわらず、上記窪み部を利用してモップを簡単且つ確実に絞ることができ、取り扱いも容易である。しかも、把手のホース孔内に給水用ホースの先端を差し込み、その状態で該ホースを通じて水を供給することにより、該ホースを手で支えることなく簡単に水を供給することができる。
また、上記把手にモップ支持孔を設けることにより、このモップ支持孔にモップの柄を差し込むことによって該モップを逆向きに立てて保管することができるため、バケツとモップとを常にセットにして保管することができ、取り扱いが容易で、次に使用する際にも非常に便利である。しかも、清掃用バケツをモップの収納にも兼用できるため、非常に合理的且つ効率的であるばかりでなく、モップの保管場所に困ることもなく、濡れたモップを壁に吊したり立て掛けたりする必要がないため、壁面が汚れたり腐食したりするといった問題も解消される。
【図面の簡単な説明】
【図１】本発明に係る清掃用バケツの第１実施例を示す斜視図である。
【図２】図１の清掃用バケツの、把手を倒した状態を示す平面図である。
【図３】図２におけるＡ−Ａ線での断面図である。
【図４】モップを絞る態様を示す断面図である。
【図５】モップを支持させた状態を示す断面図である。
【図６】本発明の第２実施例を示す断面図である。
【図７】本発明の第３実施例を示す断面図である。
【符号の説明】
１Ａ，１Ｂ，１Ｃ  清掃用バケツ    ２  バケツ本体
２ｃ  縁辺                        ３  把手
４  窪み部                        ９  ホース孔
１０  モップ支持孔                １２  凹欠部
３０  モップ                      ３１  糸束
３２  柄                          ３４  ホース
【図１】
0004160169.tif 000002
【図２】
0004160169.tif 000003
【図３】
0004160169.tif 000004
【図４】
0004160169.tif 000005
【図５】
0004160169.tif 000006
【図６】
0004160169.tif 000007
【図７】
0004160169.tif 000008